(57)【要約】      （修正有）【課題】ボールを維持しやすい位置に捕球補助部を設けることで、落球を抑制する野球またはソフトボール用捕球具を提供する。【解決手段】受球面皮１０と背面皮９とを縫着して形成され、使用者の親指を受け入れ可能な親指袋２と、使用者の親指以外の指を受け入れ可能な指袋４，５，６，７と、親指袋と指袋との間に位置するウエブ部３とを有する表皮１６と捕球補助部２０とを備え、受球面皮は、親指袋側に位置し、捕球時に指袋側に近づく方向である第１の閉じる方向に動かすことが可能な第１可動領域と、指袋側に位置し、捕球時に親指袋側に近づく方向である第２の閉じる方向に動かすことが可能な第２可動領域と、第１可動領域と第２可動領域との間に位置し、捕球時に第１および第２の閉じる方向に実質的に動かすことができない非可動領域とを含み、第１可動領域と第２可動領域との少なくとも一方に捕球補助部を設けた。【選択図】図１
2008132103.tif 000002
【特許請求の範囲】
【請求項１】
受球面皮（１０）と背面皮（９）とを縫着して形成され、使用者の親指を受け入れ可能な親指袋（２）と、使用者の親指以外の指を受け入れ可能な指袋（４，５，６，７）と、前記親指袋（２）と前記指袋（４，５，６，７）との間に位置するウエブ部（３）とを有する表皮（１６）と、
前記受球面皮に設けられた捕球補助部（２０）とを備え、
前記受球面皮（１０）は、前記親指袋（２）側に位置し、捕球時に前記指袋（４，５，６，７）側に近づく方向である第１の閉じる方向に動かすことが可能な第１可動領域（Ｒ１００）と、
前記指袋（４，５，６，７）側に位置し、捕球時に前記親指袋（２）側に近づく方向である第２の閉じる方向に動かすことが可能な第２可動領域（Ｒ２００）と、
前記第１可動領域（Ｒ１００）と前記第２可動領域（Ｒ２００）との間に位置し、捕球時に前記第１および第２の閉じる方向に実質的に動かすことができない非可動領域（ＲＢ）とを含み、
前記第１可動領域（Ｒ１００）と前記第２可動領域（Ｒ２００）との少なくとも一方に前記捕球補助部（１０）を設けた、野球またはソフトボール用捕球具。
【請求項２】
前記指袋（１１）は、使用者の人差し指を受け入れ可能な人差し指袋（４）と、使用者の中指を受け入れ可能な中指袋（５）と、使用者の薬指を受け入れ可能な薬指袋（６）と、使用者の小指を受け入れ可能な小指袋（７）とを含み、
前記表皮（１６）は、前記受球面皮（１０）の中央部に位置するポケット部（９０）と、使用者の手首を挿入可能な挿入口（８１）をさらに含み、
前記非可動領域（ＲＢ）は、前記親指袋（２）の前記ウエブ部（３）側の基部と前記人差し指袋（３）のウエブ部（３）側の基部との間から前記ポケット部（９０）をとおり、前記挿入口（８１）側に位置するエッジ部（８０）に達する位置に設けられた、請求項１に記載の野球またはソフトボール用捕球具。
【請求項３】
前記非可動領域（ＲＢ）の延在方向に垂直な方向である前記非可動領域（ＲＢ）の幅方向の距離は、捕球対象のボールの外周長さの１／８とされた、請求項１または請求項２に記載の野球またはソフトボール用捕球具。
【請求項４】
前記第１可動領域（Ｒ１００）の前記親指袋の先端部側の外周縁部と、前記第２可動領域（Ｒ２００）の前記指袋（１１）の先端部側の外周縁部との前記非可動領域（ＲＢ）の幅方向の距離は、捕球対象のボールの外周長さの３／８とした、請求項１から請求項３のいずれかに記載の野球またはソフトボール用捕球具。
【請求項５】
前記非可動領域（ＲＢ）の延在方向に垂直な方向である前記非可動領域（ＲＢ）の幅方向の距離は、２５．１ｍｍ〜２８．５ｍｍとされ、前記第１可動領域（Ｒ３００）の前記親指袋（２）の先端部側の外周縁部と、前記第２可動領域（Ｒ４００）の前記指袋（１１）の先端部側の外周縁部との間の前記非可動領域（ＲＢ）の幅方向の距離は、７５．４ｍｍ〜８５．４ｍｍとされた、請求項１または請求項２に記載の野球またはソフトボール用捕球具。
【請求項６】
前記非可動領域（ＲＢ）の延在方向に垂直な方向である前記非可動領域（ＲＢ）の幅方向の距離は、２８．６ｍｍ〜２９．４ｍｍとされ、前記第１可動領域（Ｒ７００）の前記親指袋（２）の先端部側の外周縁部と、前記第２可動領域（Ｒ８００）の前記指袋（１１）の先端部側の外周縁部との間の前記非可動領域（ＲＢ）の幅方向の距離は、８５．９ｍｍ〜８８．１ｍｍとされた、請求項１または請求項２に記載の野球またはソフトボール用捕球具。
【請求項７】
前記非可動領域（ＲＢ）の延在方向に垂直な方向である前記非可動領域（ＲＢ）の幅方向の距離は、３３．０ｍｍ〜３８．５ｍｍとされ、前記第１可動領域（Ｒ１０００）の前記親指袋（２）の先端部側の外周縁部と、前記第２可動領域（Ｒ１１００）の前記指袋（１１）の先端部側の外周縁部との間の前記非可動領域（ＲＢ）の幅方向の距離は、９８．９ｍｍ〜１１５．５ｍｍとされた、請求項１または請求項２に記載の野球またはソフトボール用捕球具。
【請求項８】
受球面皮（１０）と背面皮（９）とを縫着して形成され、使用者の親指を受け入れ可能な親指袋（２）と、使用者の親指以外の指を受け入れ可能な指袋（１１）と、前記親指袋（２）と前記指袋（１１）との間に位置するウエブ部（３）とを有する表皮（１６）と、
前記受球面皮に設けられた複数の捕球補助部（２０）とを備え、
捕球対象のボールを複数の前記捕球補助部（２０）で把持した際に、前記捕球補助部（２０）と前記ボールとの間に生じる摩擦力の鉛直方向の分力が、前記捕球補助部（２０）から前記ボールが受ける押出力の鉛直方向の分力と前前記ボールに加わる重力との合力以上となるように、前記捕球補助部（２０）を設けた、野球またはソフトボール用捕球具。
【請求項９】
受球面皮（１０）と背面皮（９）とを縫着して形成され、使用者の親指を受け入れ可能な親指袋（２）と、使用者の親指以外の指を受け入れ可能な指袋（４，５，６，７）と、前記親指袋（２）と前記指袋（４，５，６，７）との間に位置するウエブ部（３）とを有する表皮（１６）と、
前記受球面皮に設けられた捕球補助部（２０）とを備え、
捕球対象のボールを前記捕球補助部と前記受球面皮の表面とで把持した際に、前記ボールと前記捕球補助部（２０）との間に生じる摩擦力と前記ボールと前記受球面皮との間に生じる摩擦力との鉛直方向の合力が、前記捕球補助部（２０）と前記ボールとの間に生じる摩擦力および前記受球面皮（１０）の表面と前記ボールとの間に生じる摩擦力の鉛直方向の分力と前記ボールに加えられる重力との合力以上となるように、前記捕球補助部（２０）を配置する、野球またはソフトボール用捕球具。
【発明の詳細な説明】
【技術分野】
【０００１】
本発明は、野球またはソフトボール用捕球具に関し、特に、捕球したボールの落球の抑制が図られた野球またはソフトボール用捕球具に関する。
【背景技術】
【０００２】
従来から、ボールの落球を抑制するために各種の捕球具が提案されている。たとえば、実開昭５７−２９２７４号公報に提案された捕球具は、ホールの受球面に、その受球面中心部を取り囲むような突条からなるボールの脱落防止手段が設けられている。
【０００３】
実開昭５７−２９２７５号公報に提案された捕球具は、ボールの受球面に、その受球面中心部を取り囲むような突起体からなるボールの脱落防止手段が設けられている。
【０００４】
実開昭５６−９０２７４号公報に提案された捕球具は、捕球部表皮に形成された多数の小孔と、この小孔から僅かに突出する小突起とを備えている。
【０００５】
実開昭５６−１７１０７９号公報に提案された捕球具は、捕球具の手のひら部および指部に小粒状エンボスを複数備えている。
【０００６】
さらに、特許３２７４１０７に提案された捕球具は、複数の指部と受球面皮とを有する手掌部材とを備え、全ての指部の中心線が受球面部上で交わるように形成されている。
【特許文献１】実開昭５７−２９２７４号公報
【特許文献２】実開昭５７−２９２７５号公報
【特許文献３】実開昭５６−９０２７４号公報
【特許文献４】実開昭５６−１７１０７９号公報
【特許文献５】特許第３２７４１０７号公報
【発明の開示】
【発明が解決しようとする課題】
【０００７】
上記実開昭５７−２９２７４号公報および実開昭５７−２９２７５号公報に提案された捕球具においては、捕球時にボールを実質的に把持する方向に変位しない領域にも脱落防止手段が設けられている。
【０００８】
そして、捕球時にボールを実質的に把持する方向に変位しない領域に設けられた脱落防止手段は、捕球時にボールを下方から押し上げてしまう。このため、かえって、一旦捕球したボールが脱落し易くなっている。
【０００９】
さらに、実開昭５６−１７１０７９号公報に記載された捕球具も、上記実開昭５７−２９２７４号公報等と同様に、捕球時にボールを実質的に把持する方向に変位しない領域に小突起が設けられているため、これらの小突起によって、ボールの落球が生じやすくなっている。なお、特許３２７４１０７号公報に提案された捕球具には、上記脱落手段や小突起などが設けられていない。
【００１０】
本発明は、上記のような課題に鑑みてなされたものであり、その目的は、ボールの捕球を補助可能な捕球補助部を備えた野球またはソフトボール用捕球具において、捕球したボールを維持しやすい位置に捕球補助部を設けることで、落球の抑制が図られた野球またはソフトボール用捕球具を提供することである。
【課題を解決するための手段】
【００１１】
本発明に係る野球またはソフトボール用捕球具は、１つの局面によれば、受球面皮と背面皮とを縫着して形成され、使用者の親指を受け入れ可能な親指袋と、使用者の親指以外の指を受け入れ可能な指袋と、親指袋と指袋との間に位置するウエブ部とを有する表皮を有する。さらに、この野球またはソフトボール用捕球具は、受球面皮に設けられた捕球補助部とを備え、受球面皮は、親指袋側に位置し、捕球時に指袋側に近づく方向である第１の閉じる方向に動かすことが可能な第１可動領域と、指袋側に位置し、捕球時に親指袋側に近づく方向である第２の閉じる方向に動かすことが可能な第２可動領域と、第１可動領域と第２可動領域との間に位置し、捕球時に第１および第２の閉じる方向に実質的に動かすことができない非可動領域とを含む。そして、第１可動領域と第２可動領域との少なくとも一方に捕球補助部が設けられている。好ましくは、上記指袋は、使用者の人差し指を受け入れ可能な人差し指袋と、使用者の中指を受け入れ可能な中指袋と、使用者の薬指を受け入れ可能な薬指袋と、使用者の小指を受け入れ可能な小指袋とを含み。さらに、上記表皮は、受球面皮の中央部に位置するポケット部と、使用者の手首を挿入可能な挿入口をさらに含み。また、上記非可動領域は、親指袋のウエブ部側の基部と人差し指袋のウエブ部側の基部との間からポケット部をとおり、挿入口側に位置するエッジ部に達する位置に設けられる。
【００１２】
好ましくは、上記非可動領域の延在方向に垂直な方向である非可動領域の幅方向の距離は、捕球対象のボールの外周長さの１／８とされる。
【００１３】
好ましくは、上記第１可動領域の親指袋の先端部側の外周縁部と、第２可動領域の指袋の先端部側の外周縁部との非可動領域の幅方向の距離は、捕球対象のボールの外周長さの３／８とする。
【００１４】
好ましくは、上置き非可動領域の延在方向に垂直な方向である非可動領域の幅方向の距離は、２５．１ｍｍ〜２８．５ｍｍとされ、第１可動領域の親指袋の先端部側の外周縁部と、第２可動領域の指袋の先端部側の外周縁部との間の非可動領域の幅方向の距離は、７５．４ｍｍ〜８５．４ｍｍとされる。
【００１５】
好ましくは、上記非可動領域の延在方向に垂直な方向である非可動領域の幅方向の距離は、２８．６ｍｍ〜２９．４ｍｍとされる。そして、上記第１可動領域の親指袋の先端部側の外周縁部と、第２可動領域の指袋の先端部側の外周縁部との間の非可動領域の幅方向の距離は、８５．９ｍｍ〜８８．１ｍｍとされる。
【００１６】
好ましくは、上記非可動領域の延在方向に垂直な方向である非可動領域の幅方向の距離は、３３．０ｍｍ〜３８．５ｍｍとされる。そして、上記第１可動領域の親指袋の先端部側の外周縁部と、第２可動領域の指袋の先端部側の外周縁部との間の非可動領域の幅方向の距離は、９８．９ｍｍ〜１１５．５ｍｍとされる。
【００１７】
本発明に係る野球またはソフトボール用捕球具は、他の局面によれば、受球面皮（１０）と背面皮（９）とを縫着して形成され、使用者の親指を受け入れ可能な親指袋（２）と、使用者の親指以外の指を受け入れ可能な指袋（４，５，６，７）と、親指袋（２）と指袋（４，５，６，７）との間に位置するウエブ部（３）とを有する表皮（１６）とを備える。さらに、野球またはソフトボール用捕球具は、受球面皮に設けられた複数の捕球補助部（２０）とを備え、捕球対象のボールを複数の捕球補助部で把持した際に、捕球補助部とボールとの間に生じる摩擦力の鉛直方向の分力が、捕球補助部からボールが受ける押出力の鉛直方向の分力と前ボールに加わる重力との合力以上となるように、捕球補助部を設ける。
【００１８】
本発明に係る野球またはソフトボール用捕球具は、他の局面によれば、受球面皮（１０）と背面皮（９）とを縫着して形成され、使用者の親指を受け入れ可能な親指袋（２）と、使用者の親指以外の指を受け入れ可能な指袋（４，５，６，７）と、親指袋（２）と指袋（４，５，６，７）との間に位置するウエブ部（３）とを有する表皮（１６）と、を備える。さらに、野球またはソフトボール用捕球具は、受球面皮に設けられた捕球補助部（２０）とを備え、捕球対象のボールを捕球補助部と受球面皮の表面とで把持した際に、ボールと捕球補助部との間に生じる摩擦力とボールと受球面皮との間に生じる摩擦力との鉛直方向の合力が、捕球補助部とボールとの間に生じる摩擦力および受球面皮の表面とボールとの間に生じる摩擦力の鉛直方向の分力とボールに加えられる重力との合力以上となるように、捕球補助部を配置する。
【発明の効果】
【００１９】
本発明に係る野球またはソフトボール用捕球具によれば、捕球補助部は、親指袋側の第１可動領域と指袋側の第２可動領域との少なくとも一方に設けられ、非可動領域に捕球補助部が設けられていないので、捕球補助部によって挟持してボールを把持した際や、捕球補助部と受球面皮の表面とでボールを挟持した場合のいずれにおいても、ボールを捕球具内に保持しやすく、落球を抑制することができる。
【発明を実施するための最良の形態】
【００２０】
（実施の形態１）
図１から図１１を用いて、本実施の形態１に係る野球またはソフトボール用捕球具について説明する。
【００２１】
図１は、本実施の形態１に係る捕球具１の斜視図である。この図１に示されるように、捕球具１は、受球面皮１０と背面皮９とを縫着して形成された表皮１６を備えている。この表皮１６は、使用者の親指を受け入れ可能な親指袋２と、使用者の親指以外の指を受け入れ可能な指袋１１と、指袋１１と親指袋２との間に設けられたウエブ部３とを備えている。また、表皮１６は、使用者の手首を受け入れ可能な挿入口８１を備えている。
【００２２】
指袋１１は、使用者の人差し指を受け入れ可能な人差し指袋４と、使用者の中指を受け入れ可能な中指袋５と、使用者の薬指を受け入れ可能な薬指袋６と、使用者の小指を受け入れ可能な小指袋７とを備えている。受球面皮１０の中央部には、ボールを受け入れ可能なポケット部９０が設けられている。
【００２３】
ここで、表皮１６のエッジ部８０とは、本明細書において、親指袋２の先端部から挿入口８１側の親指袋２の側面と、挿入口８１の周縁部と、小指袋７の挿入口８１側の側面と、各指袋１１の先端部と、ウエブ部３の先端部とを通る領域を意味する。
【００２４】
表皮１６内には、裏皮が設けられており、手甲皮と手掌皮とから構成されている。手甲皮はそれぞれ５本の指袋を形成するように複数の皮革からなるパーツを縫製して作製され、手掌皮は受球面皮１０よりも小さく裁断した５本の略指型形状を有する。手甲皮と手掌皮も、天然皮革、合成皮革、その他これらと同材質の材質からなる。
【００２５】
受球面皮１０の表面には、複数の捕球補助部２０が設けられている。捕球補助部２０は、使用者の親指で操作可能とされた親指用捕球補助部２１と、使用者の中指で操作可能とされた中指用捕球補助部２２と、使用者の薬指で操作可能とされた薬指用捕球補助部２３と、使用者の小指で操作可能とされた小指用捕球補助部２４を備えている。
【００２６】
各捕球補助部２０は、ボールを捕球した際に、捕球したボールとの間に生じる摩擦力によって、ボールを捕球具１内に保持するための部材であり、一旦捕球したボールの落球を抑制することができる。また、各捕球補助部２０は、受球面皮１０と異なる材料から形成されており、受球面皮１０の摩擦係数より大きな摩擦係数の材料から構成されているのが好ましい。
【００２７】
親指用捕球補助部２１は、上面１２１と、この上面１２１の周囲に形成され、受球面皮１０の表面に垂下する周壁部１３１とを備えている。
【００２８】
上面１２１と周壁部１３１との境界には、親指袋２の幅方向に沿って延びる稜線部２１ａと、親指袋２の長手方向に延びる稜線部２１ｂと、稜線部２１ｂと稜線部２１ｃとを接続する稜線部２１ｃとが形成されている。
【００２９】
中指用捕球補助部２２は、上面１２２と、上面１２２の周囲に形成され、受球面皮１０の表面に垂下する周壁部１３２とを備えている。上面１２２と周壁部１３２との境界には、中指袋５の幅方向に延びる稜線部２２ａと、中指袋５の長手方向に延びる稜線部２２ｂと、この稜線部２２ａと稜線部２２ｂとを連設する稜線部２２ｃとが形成されている。
【００３０】
薬指用捕球補助部２３は、上面１２３と、この上面１２３の周囲に形成され、受球面皮１０の表面に垂下する周壁部１３３とを備えている。
【００３１】
上面１２３と周壁部１３３との境界には、薬指袋６の幅方向に延びる稜線部２３ａと、薬指袋６の長手方向に延びる稜線部２３ｂとが形成されている。
【００３２】
小指用捕球補助部２４は、上面１２４と上面１２４の周囲に周壁部１３４とを備えている。そして、上面１２４と周壁部１３４との境界には、小指袋７の幅方向に延びる稜線部２４ａと、小指袋７の長手方向に延びる稜線部２４ｂと、稜線部２４ａと稜線部２４ｂとを連設する稜線部２４ｃとが形成されている。
【００３３】
なお、人差し指袋４の長手方向とは、図１のＬ方向であって、幅方向とは、Ｗ方向であり、他の親指袋２等においても同様の方向とする。
【００３４】
稜線部２１ａ、２２ａ、２３ａ、２４ａは、ポケット部９０の周囲に沿って配置されており、稜線部２１ａ〜２４ａは、ポケット部９０内に受け入れられたボールの周面を把持して、ボールを挟持可能とされている。
【００３５】
なお、この図１に示す例においては、各捕球補助部２０は、受球面皮１０の表面から突出するように形成されているが、これに限られず、上面が受球面皮１０の表面と面一とされてもよい。各捕球補助部２０の稜線部（第１稜線部）２１ａ、２２ａ、２３ａ、２４ａは、設けられた親指袋２または指袋１１の幅方向の幅のより小さく、１／２以上の大きさとされている。
【００３６】
これにより、各捕球補助部２０は、使用者の各指の動きに合わせて正確に動かすことができ、さらに、ボールと各捕球補助部２０との当接距離を確保することができ、ボールと間に生じる摩擦力を十分に確保することができる。
【００３７】
図２は、受球面皮１０と、受球面皮１０の表面に設けられた捕球補助部２０とを示す平面図である。この図２に示されるように、受球面皮１０は、図１に示す親指袋２の一部を形成する親指部３２と、ウエブ部３の一部を形成するウエブ形成部３３と、指袋１１の一部を形成する指袋部３１と、挿入口８１の一部を規定する挿入口側エッジ部３８とを備えている。
【００３８】
指袋部３１は、人差し指袋４の一部を形成する人差し指部３４と、中指袋５の一部を規定する中指部３５と、薬指袋６の一部を形成する薬指部３６と、小指袋７の一部を形成する小指部３７とを備えている。
【００３９】
図３は、捕球補助部２０の配置関係を示す受球面皮１０の平面図である。
この図３に示されるように、各捕球補助部２０は、受球面皮１０のうち、非可動領域ＲＢより外側に位置する受球面皮１０の表面に配置されている。
【００４０】
非可動領域ＲＢの中央線Ｏは、受球面皮１０のうち、親指部３２のウエブ形成部３３側の基部２１Ａと人差し指部３４のウエブ形成部３３側の基部３４Ａとの間の中央部Ｏ３から、図１に示すポケット部９０を通り、さらに、挿入口側エッジ部３８に達する。
【００４１】
そして、非可動領域ＲＢは、この中央線Ｏを中心として、この中央線Ｏに対して垂直な方向の幅（非可動領域ＲＢの幅）は、捕球対象のボールの外周長さの１／８とされている。
【００４２】
図４は、捕球具１内に挿入される使用者の手の平面図である。この図４において、捕球具１を装着して、ボールを捕球する際に、人の掌は、ラインＫを中心として、親指６１を人差し指６２、中指６３、薬指６４、小指６５側に向けて閉じると共に、人差し指６２、中指６３、薬指６４、小指６５を親指６１側に向けて閉じるように動かしてボールを捕球する。
【００４３】
ラインＫは、親指６１の付根部と、人差し指６２の付根部との間から、掌の中央部をとおって、手首の中心に達するようなラインであって、捕球動作の際に、殆ど位置が変位しないラインである。
【００４４】
そして、図３に示す中央線Ｏは、使用者が手を捕球具１内に挿入した際に、上記ラインＫと対応する部分となる。
【００４５】
このため、使用者がボールを捕球する際において、中央線Ｏ上に位置する部分は、殆ど動かない。そして、この中央線Ｏに対して垂直な方向に位置する部分同士が互いに近づくように変位して、ボールを挟み込む。
【００４６】
その一方で、中央線Ｏに近接する部分同士でボールを把持しようとしても、ボールを把持し難い。すなわち、捕球したボールを捕球具１内に保持し続けるには、中央線Ｏに対して垂直な方向に十分離間した部分でボールを挟持する必要がある。
【００４７】
すなわち、捕球補助部２０を設けるにあたり、把持したボールを捕球具１内に保持し続けるためには、捕球補助部２０を中央線Ｏから所定の距離はなして設ける必要があり、非可動領域ＲＢの幅方向の長さを所定の長さに設定する必要がある。
【００４８】
図５を用いて、非可動領域のＲＢの幅の一例を示す。図５は、親指用捕球補助部２１と中指用捕球補助部２２とを用いて、ボールＢを把持したときの断面図である。この図５に示されるように、ボールＢを上方から覆うように捕球したときに、ボールＢが捕球具１から外方に飛び出す方向にかかる力が最も大きくなる。
【００４９】
この際、ボールＢには、親指用捕球補助部２１および中指用捕球補助部２２から押圧力Ｎが加えられており、この押圧力Ｎの鉛直方向下方（捕球具１の外方に向かう方向）の成分は、２Ｎｓｉｎθとなる。
【００５０】
なお、角度θは、親指用捕球補助部２１または中指用捕球補助部２２とボールＢとの当接位置とボールＢの中心点Ｐとを通る線分と、ボールＢの中心点Ｐを通り、水平方向に延びる線分との交差角度のうち、小さい方の角度である。
【００５１】
親指用捕球補助部２１および中指用捕球補助部２２とボールＢとの間には、摩擦μＮがそれぞれ生じており、この摩擦の鉛直方向上方の成分は、２μＮｃｏｓθとなる（μ：捕球補助部の摩擦係数）。
【００５２】
ここで、ボールＢにかかる鉛直方向下方の成分と、鉛直方向上方の成分とがつりあう必要があり、そのときの角度θを算出する。
【００５３】
なお、この例においては、親指用捕球補助部２１および中指用捕球補助部２２の表面は、いずれもエリート（摩擦係数μ＝２）から形成されているとする。
【００５４】
この結果、角度θは、θ<48.28となる。このため、親指用捕球補助部２１とボールＢとの当接位置と、中指用捕球補助部２２とボールＢとの当接位置を、ボールＢの外周面に沿って、ボールＢの外周長さの１／８離す必要が生じる。
【００５５】
すなわち、図３において、非可動領域ＲＢの幅方向の長さは、ボールＢの外周の１／８となる。このような非可動領域ＲＢより外側に位置する受球面皮１０の表面上に各捕球補助部２０を設けることにより、捕球したボールを良好に捕球具１内に保持することができる。
【００５６】
なお、各捕球補助部２０の表面をエリートで構成した場合に限られず、他の材料で構成してもよく、選択された材料によって適宜、非可動領域ＲＢの幅の長さを変更する。
【００５７】
捕球補助部２０の表面を構成する材料としては、カダフィー、ナイロン、ポリウレタン、ウレタン、ＥＶＡ（エチレン−酢酸ビニル共重合体）、ＶＳ−１（ポリスチレンとビニル−ポリイソプレンとのトリブロック共重合体）、エラストマー、ゴム、シリコン、ＰＥＦ（発泡ポリエチレン）、ソルボセイン等を採用することができる。なお、ソルボセインは、分子構造の設計段階で特別な工夫が施されたポリオールとＭＤＩ（ジフェニルメタン・ジイソシアネート）からなるエーテル系ポリウレタンである。
【００５８】
そして、図３に示すように非可動領域ＲＢに対して、親指部３２側に位置する部分には、可動領域（第１可動領域）Ｒ１００が位置しており、非可動領域ＲＢに対して、指袋部３１側にも、可動領域Ｒ２００が位置している。
【００５９】
可動領域Ｒ１００は、非可動領域ＲＢの親指部３２側の外周縁部から、親指部３２の先端部に亘って延びる領域である。
【００６０】
そして、この可動領域Ｒ１００は、捕球時に、図１に示す指袋１１側に近づく方向である閉じる方向（第１の閉じる方向）に変位可能な領域である。
【００６１】
また、可動領域Ｒ２００は、非可動領域ＲＢの指袋部３１側の外周縁部から指袋部３１の先端部に亘って延びる領域である。この可動領域Ｒ２００も、捕球時に、図１に示す親指袋２側に近づく方向である閉じる方向（第２の閉じる方向）に変位可能な領域である。
【００６２】
そして、可動領域Ｒ１００内に位置する受球面皮１０の表面に親指用捕球補助部２１が設けられており、可動領域Ｒ２００内に位置する受球面皮１０の表面に中指用捕球補助部２２と、薬指用捕球補助部２３と、小指用捕球補助部２４とが設けられている。
【００６３】
親指用捕球補助部２１の稜線部２１ａの一部と、中指用捕球補助部２２の稜線部２２ａとは、中央線Ｏを中心として略対称的に対向配置されている。さらに、稜線部２３ａおよび稜線部２４ａも、中央線Ｏを中心として稜線部２１ａに対して対称的に対向配置されている。
【００６４】
このため、中央線Ｏに沿って捕球具１を閉じる際に、ボールＢを稜線部２３ａと、他の稜線部２２ａ〜２４ａとで良好に挟持することができる。
【００６５】
なお、図３に示す例においては、親指用捕球補助部２１、中指用捕球補助部２２、薬指用捕球補助部２３および小指用捕球補助部２４のいずれも設けているが、これに限られず、いずれか１つ以上の捕球補助部２０が設けられておればよい。特に、親指用捕球補助部２１のみを設けるようにしてもよい。
【００６６】
図５において、捕球したボールＢを送球する場合には、ボールＢを素早く捕球具１内から取り出すことができる必要がある。
【００６７】
そこで、捕球した際に、捕球補助部２０とボールＢとの間に生じる摩擦のうち、ボールＢを取り出す方向の成分が所望の値より小さい必要がある。たとえば、親指用捕球補助部２１および中指用捕球補助部２２がボールＢを真横から挟持した場合には、ボールＢと親指用捕球補助部２１および中指用捕球補助部２２との間に生じる摩擦力の方向と、送球の際、ボールを取り出す方向とが反対となり、ボールＢの取り出しが困難となる。
【００６８】
さらに、ボールＢの外周面のうち、受球面皮１０と反対側に位置する部分を捕球補助部２０が挟持した場合には、ボールＢを離すために、捕球補助部２０を退避させる距離が長くなり、ボールＢの取り出しに手間取ってしまう。
【００６９】
その一方で、角度θが２７．５度程度となるような位置で捕球補助部２０がボールＢを挟持する場合には、捕球補助部２０とボールＢとの間に生じる摩擦力のうち、ボールＢを取り出す方向の成分は低減される。
【００７０】
さらに、ボールＢの外周面のうち、受球面皮１０側に位置する部分で挟持することにより、ボールＢを離す際に、捕球補助部２０を僅かにボールＢ側から退避させればよく、ボールＢの取り出しを容易に行なうことができる。
【００７１】
なお、このように角度θが２７．５度となるときには、図５において、ボールＢの周面に沿う方向の親指用捕球補助部２１と中指用捕球補助部２２との間の距離は、ボールＢの外周長さの３／８となる。
【００７２】
図６は、捕球具１からのボールＢの取り出し易さも考慮したときの捕球補助部２０の配置領域を示す受球面皮１０の平面図である。
【００７３】
この図６に示すように、親指用捕球補助部２１は、非可動領域ＲＢより外側に位置する受球面皮１０の表面上に設けられ、親指用捕球補助部２１の少なくとも一部は、領域Ｒ１００より親指部３２の長手方向の長さが短い領域Ｒ３００内に位置している。
【００７４】
また、中指用捕球補助部２２、薬指用捕球補助部２３および小指用捕球補助部２４は、非可動領域ＲＢより中指部３５、薬指部３６および小指部３７側に設けられており、そして、中指用捕球補助部２２、薬指用捕球補助部２３および小指用捕球補助部２４の少なくとも一部が領域Ｒ２００より長手方向の長さが短い領域Ｒ４００内に位置している。
【００７５】
そして、領域３００の外周縁部上の一点と、この一点を通り中央線Ｏに垂直な線分と交差する領域Ｒ４００の外周縁部との間の距離は、たとえば、捕球対象のボールＢの外周長さの３／８とされている。
【００７６】
ここで、図７から図１０を用いて、上記中央線Ｏおよび領域Ｒ１００，Ｒ２００、Ｒ３００、Ｒ４００の規定方法について説明する。図７に示すように、ウエブ形成部３３の中心線Ｌ３と、中指部３５の中心線Ｌ５との交点を点Ｏ５とする。さらに、図８に示されるように、ウエブ形成部３３の中心線Ｌ３と、人差し指部３４の中心線Ｌ４との交点を点Ｏ４とする。また、図９に示すように、ウエブ形成部３３の中心線Ｌ３と、薬指部３６の中心線Ｌ６との交点を点Ｏ６とする。
【００７７】
同様に、図１０に示すように、親指部３２の中心線Ｌ２と、小指部３７の中心線Ｌ７との交点を点Ｏ７とする。
【００７８】
図１１は、親指部３２の中心線Ｌ２の設定手法を示す親指部３２の先端部の拡大図である。この図１１に示されるように、親指部３２の一方の側辺の延長線Ｌ１２と、他方の延長線Ｌ２２の交点をとり、この延長線Ｌ１２と延長線Ｌ２２との成す角度のうち、小さい角度の二等分線を引く。これにより、親指部３２の中心線Ｌ２を設定することができる。
【００７９】
そして、上記点Ｏ４〜点Ｏ７を通り、図３に示す中央部Ｏ３および挿入口側エッジ部３８に達するような滑らかな曲線を描くことで、図３および図６に示すような中央線Ｏを規定することができる。
【００８０】
さらに、直径が捕球対象のボールの外周長さの１／８とされた円を、その中心点を中央線Ｏに位置させた状態で、中央線Ｏ上を移動させる。そして、この円の軌跡によって規定される領域が非可動領域ＲＢとなる。
【００８１】
そして、受球面皮１０の受球面の表面のうち、この非可動領域ＲＢおよびウエブ形成部を除いた領域が、領域Ｒ１００および領域Ｒ２００となる。
【００８２】
また、直径を捕球対象のボールの外周長さの３／８の円を、その中心点を中央線Ｏに位置させた状態で、中央線Ｏ上を移動させる。
【００８３】
そして、この円の軌跡領域から上記非可動領域をのぞいた部分が図６に示す領域Ｒ３００および領域Ｒ４００となる。換言すれば、上記円の軌跡によって規定される領域と領域Ｒ１００と重なる領域が図６に示す領域Ｒ３００となり、また、上記円の軌跡によって規定される領域と領域Ｒ２００との重なる領域が領域Ｒ４００となる。
【００８４】
具体的には、図７において、点ＯＰ５を中心として、直径を捕球対象のボールの外周長さの１／８とする円Ｒ１５を規定する。また、直径を捕球対象のボールの外周長さの３／８とする形成された円Ｒ２５を規定する。さらに、図８に示されるように、点Ｏ４を中心として、直径を捕球対象のボールの外周長さの１／８とする円Ｒ１４を規定する。さらに、この点Ｏ４を中心として、直径を捕球対象のボールの外周長さの３／８とする円Ｒ２４を規定する。
【００８５】
また、図９に示すように、点Ｏ６を中心として、直径を捕球対象のボールの外周長さの１／８とする円Ｒ１６を規定する。さらに、点Ｏ６を中心として、直径を捕球対象のボールの外周長さの３／８とされた円Ｒ２６を規定する。図１０に示すように、点Ｏ７を中心として、直径が捕球対象のボールの外周長さの１／８とされた円Ｒ１７を規定する。さらに、点Ｏ７を中心として、直径が捕球対象のボールの外周長さの３／８とされた円Ｒ２７を規定する。
【００８６】
そして、非可動領域ＲＢは、円Ｒ１４〜円Ｒ１７を含む領域となる。また、円Ｒ２４〜円Ｒ２７は、図６に示す領域Ｒ３００の親指部側の外周縁部と、領域Ｒ４００の各指部側の外周縁部との間に位置する。
【００８７】
ここで、下記表１、２は、各種軟球ボールの寸法等を示したものであり、この表１に基づいて具体的なボールに基づいて、各領域ＲＢ、Ｒ３００、Ｒ４００の幅について算出した結果を表３に示す。
【００８８】
【表１】
2008132103.tif 000003
【００８９】
【表２】
2008132103.tif 000004
【００９０】
【表３】
2008132103.tif 000005
【００９１】
上記表３に示されるように、図３に示す非可動領域ＲＢの幅は、軟式ボールの種類によって変動するものである。そして、非可動領域ＲＢの幅の最小値は、２５．１ｍｍとなり、最大値は、２８．５ｍｍとなる。
【００９２】
さらに、図６に示す、領域Ｒ３００の親指部３２の先端部側の外周縁部と、領域Ｒ４００の指袋部３１側の外周縁部との間の距離も軟式ボールの種類によって変動するものである。そして、上記幅の最小値は、７５．４ｍｍとなり、最大値は、８５．４ｍｍとなる。そして、上記のように構成された捕球具１によれば、軟式ボールを捕球したときに、軟式ボールの落球を抑制することができると共に、軟球ボールの取り出しが容易に行なうことができ、手早く送球を行なうことができる。
【００９３】
（実施の形態２）
図１２から図１５を用いて、本実施の形態２に係る捕球具１について説明する。なお、上記図１から図１１に示された構成と同一または相当する構成については、同一の符号を付してその説明を省略する。なお、本実施の形態２に係る捕球具１は、硬式ボールを捕球する硬式ボール用の捕球具である。
【００９４】
図１２は、本実施の形態２に係る捕球具１の受球面皮１０の平面図である。この図１２に示されるように、いずれの捕球補助部２０も、非可動領域ＲＢから離れた位置に設けられている。この非可動領域ＲＢの幅は、２８．６ｍｍ以上２９．４ｍｍ以下とされている。
【００９５】
すなわち、非可動領域ＲＢは、直径が２８．６ｍｍ以上２９．４ｍｍ以下の円の中心を中央線Ｏ上に位置させ、その状態で、中央線Ｏ上を変位させることで、上記円にの軌跡によって規定される。
【００９６】
そして、受球面皮１０の表面には、非可動領域ＲＢに対して、親指部３２側に位置し、非可動領域ＲＢの親指部３２側の周縁部から親指部３２の先端部に亘って、延びる領域Ｒ４００内に親指用捕球補助部２１が設けられている。
【００９７】
また、非可動領域ＲＢに対して、指袋部３１の先端部側に位置し、非可動領域ＲＢの指袋部３１側の周縁部から指袋部３１の先端部に亘って延びる領域Ｒ５００内に中指用捕球補助部２２、薬指用捕球補助部２３、小指用捕球補助部２４が設けられている。
【００９８】
ここで、捕球した硬式ボールの送球を手早く行なうために、親指用捕球補助部２１の少なくとも一部を領域Ｒ６００内に位置させると共に、中指用捕球補助部２２、薬指用捕球補助部２３、小指用捕球補助部２４の少なくとも一部を領域Ｒ７００内に位置させる。
【００９９】
領域Ｒ６００、Ｒ７００は、直径が８５．９ｍｍ以上８８．１ｍｍ以下の円の中心を中央線Ｏ上に配置した状態で、中央線Ｏ上を変位させることで、上記円の軌跡によって規定された領域と、上記領域Ｒ４００、５００との重なる領域によって規定される。なお、領域Ｒ６００は、非可動領域ＲＢに対して、親指部３２側に設けられており、さらに、領域Ｒ７００は、非可動領域ＲＢに対して、指袋部３１側に設けられている。
【０１００】
なお、領域Ｒ７００の親指部３２の先端部側の外周縁部と、領域Ｒ７００の指袋部３１の先端部側の外周縁部との間の距離は、８５．９ｍｍ以上８８．１ｍｍ以下となる。
【０１０１】
上記のような非可動領域ＲＢおよび領域Ｒ４００、Ｒ５００、Ｒ６００、Ｒ７００について図１３〜図１５を用いて説明する。
【０１０２】
まず、図１３に示すように、点Ｏ５を中心として、硬式ボールの外周長さの１／８の直径の円Ｒ３５を規定する。ここで、下記表４に示されるように、硬式ボールの外周長さは、２２９．０ｍｍ以上２３５．０ｍｍであるので、円Ｒ３５の直径は、２８．６ｍｍ以上２９．４ｍｍ以下とする。
【０１０３】
そして、点Ｏ５を中心として、直径８５．９ｍｍ以上８８．１ｍｍ以下の円Ｒ４５を規定する。
【０１０４】
また、図１４において、点Ｏ６を中心として、直径２８．６ｍｍ以上２９．４ｍｍ以下の円Ｒ３６を規定する共に、直径８５．９ｍｍ以上８８．１ｍｍ以下の円Ｒ４６を規定する。さらに、図１５において、点Ｏ７を中心として、直径２８．６ｍｍ以上２９．４ｍｍ以下の円Ｒ３７を規定する共に、直径８５．９ｍｍ以上８８．１ｍｍの円Ｒ４７を規定する。
【０１０５】
そして、非可動領域ＲＢは、上記円Ｒ３５、Ｒ３６，Ｒ３７を含み、各円Ｒ３５、Ｒ３６，Ｒ３７は、非可動領域ＲＢの外周縁部に内接するように配置されている。
【０１０６】
また、領域Ｒ６００の親指部３２側の周縁部および領域Ｒ７００の指袋部３１側の周縁部との間には、上記円Ｒ４５、Ｒ４６、Ｒ４７の外周縁部が内接するように配置されている。ここで、円Ｒ３５、Ｒ３６，Ｒ３７の直径を硬式ボールの外周長さの１／８としたのは、上記実施の形態１と同様に、硬式ボールが最も脱落しやすい状態で硬式ボールを把持した際に、硬式ボールを落球せず良好に把持することができるようにするためである。
【０１０７】
なお下記表４、５は、硬式球ボールの寸法等を示したものであり、この表４，５に基づいて具体的なボールに基づいて、各領域ＲＢ、Ｒ６００、Ｒ７００の幅について算出した結果を表６に示す。
【０１０８】
【表４】
2008132103.tif 000006
【０１０９】
【表５】
2008132103.tif 000007
【０１１０】
【表６】
2008132103.tif 000008
【０１１１】
（実施の形態３）
図１６から図１９を用いて、本実施の形態３に係る捕球具１について説明する。なお、上記図１から図１５に示された構成と同一または相当する構成については、同一の符号を付してその説明を省略する。なお、本実施の形態に係る捕球具１は、ソフトボールを捕球するソフトボール用捕球具である。
【０１１２】
図１６は、本実施の形態３に係るソフトボール用捕球具の受球面皮１０の平面図である。この図１６に示されるように、中央線Ｏを通り、直径が３３．０ｍｍ以上３８．５ｍｍ以下の直径の円の中心を中央線Ｏ上に配置して、その状態で、中央線Ｏ上を移動させることで、上記円の軌跡によって規定される領域が非可動領域ＲＢとされている。
【０１１３】
非可動領域ＲＢに対して、親指部３２側に位置する受球面皮１０の表面には、領域Ｒ８００が位置しており、指袋部３１側に位置する部分には、領域Ｒ９００が位置している。
【０１１４】
この領域Ｒ８００は、非可動領域ＲＢの親指部３２側の周縁部から親指部３２の先端部に亘って延びており、領域Ｒ９００は、非可動領域ＲＢの指袋部３１側の周縁部から指袋部３１の先端部に亘って延びている。
【０１１５】
そして、領域Ｒ８００内に親指用捕球補助部２１が位置しており、領域９００内に中指用捕球補助部２２、薬指用捕球補助部２３、小指用捕球補助部２４が位置してる。
【０１１６】
そして、直径が９８．９ｍｍ以上１１５．５ｍｍ以下とされた円の中心点を中央線Ｏ上に位置させた状態で、中心点を中央線Ｏ上を移動させることで、上記円の軌跡によって規定される領域のうち、上記非可動領域ＲＢ以外の部分が領域Ｒ１０００、Ｒ１１００とされている。
【０１１７】
そして、好ましくは、領域Ｒ１０００内に親指用捕球補助部２１の少なくとも一部を位置させると共に、領域１１００内に中指用捕球補助部２２、薬指用捕球補助部２３、小指用捕球補助部２４の少なくとも一部を位置させる。
【０１１８】
なお、下記表７，８は、ソフトボールの寸法などを示す表であって、表９は、非可動領域ＲＢの幅と、領域Ｒ１０００の外周と領域Ｒ１１００の外周との間の距離を示す表である。
【０１１９】
上記のような非可動領域ＲＢおよび領域Ｒ８００、Ｒ９００、Ｒ１０００、Ｒ１１００について図１７〜図１９を用いて説明する。
【０１２０】
まず、図１７に示すように、点Ｏ４を中心として、硬式ボールの外周長さの１／８の直径の円Ｒ５４を規定する。ここで、下記表７に示されるように、硬式ボールの外周長さは、２６３．８ｍｍ以上３０８．０ｍｍであるので、円Ｒ５４の直径は、３３．０ｍｍ以上３８．５ｍｍ以下とする。
【０１２１】
そして、点Ｏ４を中心として、直径９８．９ｍｍ以上１１５．５ｍｍ以下の円Ｒ６４を規定する。同様に、図１８および図１９に示すように、円Ｒ５６、Ｒ５７、Ｒ６６、Ｒ６７を規定する。
【０１２２】
そして、非可動領域ＲＢは、上記円Ｒ５５、Ｒ５６，Ｒ５７を含み、各円Ｒ５５、Ｒ５６，Ｒ５７は、非可動領域ＲＢの外周縁部に内接するように配置されている。
【０１２３】
また、領域Ｒ１０００の親指部３２側の周縁部および領域Ｒ１１００の指袋部３１側の周縁部との間には、上記円Ｒ６５、Ｒ６６、Ｒ６７の外周縁部が内接するように配置されている。
【０１２４】
上記のように構成された捕球具１によれば、ソフトボールを捕球したときに、ソフトボールの落球を抑制することができると共に、ソフトボールの取り出しが容易に行なうことができ、手早く送球を行なうことができる。
【０１２５】
なお、下記表７、８は、各種ソフトボールの寸法等を示したものであり、この表７，８に基づいて具体的なボールに基づいて、各領域ＲＢ、Ｒ１０００、Ｒ１１００の幅について算出した結果を表９に示す。
【０１２６】
【表７】
2008132103.tif 000009
【０１２７】
【表８】
2008132103.tif 000010
【０１２８】
【表９】
2008132103.tif 000011
【０１２９】
以上のように本発明の実施の形態について説明を行なったが、今回開示された実施の形態はすべての点で例示であって制限的なものではないと考えられるべきである。本発明の範囲は特許請求の範囲によって示され、特許請求の範囲と均等の意味および範囲内でのすべての変更が含まれることが意図される。さらに、上記数値などは、例示であり、上記数値および範囲にかぎられない。
【産業上の利用可能性】
【０１３０】
本発明は、野球またはソフトボール用捕球具であって、特に、捕球したボールの落球の抑制が図られた野球またはソフトボール用捕球具に好適である。
【図面の簡単な説明】
【０１３１】
【図１】本実施の形態１に係る捕球具の斜視図である。
【図２】受球面皮と、受球面皮の表面に設けられた捕球補助部とを示す平面図である。
【図３】捕球補助部の配置関係を示す受球面皮の平面図である。
【図４】捕球具内に挿入される使用者の手の平面図である。
【図５】親指用捕球補助部と中指用捕球補助部とを用いて、ボールを把持したときの断面図である。
【図６】捕球具からのボールの取り出し易さも考慮したときの捕球補助部の配置領域を示す受球面皮の平面図である。
【図７】中央線および領域の規定方法について説明する受球面皮の第１平面図である。
【図８】中央線および領域の規定方法について説明する受球面皮の第２平面図である。
【図９】中央線および領域の規定方法について説明する受球面皮の第３平面図である。
【図１０】中央線および領域の規定方法について説明する受球面皮の第４平面図である。
【図１１】親指部の中心線の設定手法を示す親指部の先端部の拡大図である。
【図１２】実施の形態２に係る捕球具の受球面皮の平面図である。
【図１３】非可動領域および領域について説明する受球面皮の第１平面図である。
【図１４】非可動領域および領域について説明する受球面皮の第２平面図である。
【図１５】非可動領域および領域について説明する受球面皮の第３平面図である。
【図１６】本実施の形態に係るソフトボール用捕球具の受球面皮の平面図である。
【図１７】非可動領域および領域について説明する受球面皮の第１平面図である。
【図１８】非可動領域および領域について説明する受球面皮の第２平面図である。
【図１９】非可動領域および領域について説明する受球面皮の第３平面図である。
【符号の説明】
【０１３２】
１  捕球具、２  親指袋、３  ウエブ部、４  人差し指袋、５  中指袋、６  薬指袋、７  小指袋、９  背面皮、１０  受球面皮、１１  指袋、１６  表皮、２０  捕球補助部、２１  親指用捕球補助部、２２  中指用捕球補助部、２３  薬指用捕球補助部、２４  小指用捕球補助部、３１  指袋部、３２  親指部、３３  ウエブ形成部、３５  中指部、３６  薬指部、３７  小指部、Ｒ１００、Ｒ２００  可動領域、ＲＢ  非可動領域。
【図１】
2008132103.tif 000012
【図２】
2008132103.tif 000013
【図３】
2008132103.tif 000014
【図４】
2008132103.tif 000015
【図５】
2008132103.tif 000016
【図６】
2008132103.tif 000017
【図７】
2008132103.tif 000018
【図８】
2008132103.tif 000019
【図９】
2008132103.tif 000020
【図１０】
2008132103.tif 000021
【図１１】
2008132103.tif 000022
【図１２】
2008132103.tif 000023
【図１３】
2008132103.tif 000024
【図１４】
2008132103.tif 000025
【図１５】
2008132103.tif 000026
【図１６】
2008132103.tif 000027
【図１７】
2008132103.tif 000028
【図１８】
2008132103.tif 000029
【図１９】
2008132103.tif 000030